(57)【特許請求の範囲】
【請求項１】
ガラス板（２）の縁に沿って張られたフレーム部分（１）を含むフレームによって囲まれたガラス板（２）を含んでなり、而して個々のフレーム部分（１）が２つの細長い異形材（４、５）を含んでいてガラス板（２）の各々の縁が２つ一組の異形材（４、５）の間に配置されている、窓などの前面に装着するためのガラス取付装置にして、異形材（４、５）の各々はガラス板（２）に平行かつ互いに平行な１対の脚部（６、７又は１０、１１）を具備した実質的にＵ字形の横断面を有しており、一方の異形材（５）の１つの脚部（１０）は他方の異形材（４）の２つの脚部（６、７）の間に位置していて、上記一方の異形材（５）の２つの脚部（１０、１１）の間に位置する上記他方の異形材（４）の脚部（７）の遠位端には肥厚部（９）が設けられており、上記肥厚部（９）の厚さはガラス板（２）の厚さに対応していて当該ガラス取付装置の平常の使用状態ではガラス板の縁が上記一方の異形材（５）の２つの脚部の間に位置しており、また異形材（４、５）の長手方向に垂直かつガラス板に平行な方向に２つの異形材（４、５）を相対的にシフトさせるための手段（１６、２１、２６）が設けられていることを特徴とするガラス取付装置。
【請求項２】
請求項１記載のガラス取付装置において、前記ガラス板（２）の縁に沿って張られたフレーム部分（１）が、異形材（４、５）の端部を収容するコーナピース（３）によって互いに連結されており、当該収容の仕方がコーナピース（３）が異形材（４、５）に対して異形材（４、５）の長手方向にシフト可能なものであることを特徴とするガラス取付装置。
【請求項３】
請求項２記載のガラス取付装置において、前記一方の異形材（５）の端部が、当該一方の異形材（５）がコーナーピースに対してその長手方向を横断する方向にシフトし得ないように、当該コーナピース（３）の内部に収容されていて、当該コーナピース（３）と当該一方の異形材（５）の上記端部との間には当該コーナピース（３）を当該一方の異形材（５）からシフトさせるためのバネ（３７）が配置されていることを特徴とするガラス取付装置。
【請求項４】
請求項２又は請求項３記載のガラス取付装置において、コード（２１）が複数の前記コーナピース（３）及び前記一方の異形材（５）を通して張られていて、上記コードを緊縮及び弛緩させるための手段が設けられていることを特徴とするガラス取付装置。
【請求項５】
請求項４記載のガラス取付装置において、前記複数のコーナピース（３）の１つにスプール（１６）が回転可能に支持されていて、当該スプール（１６）が回転によって前記コード（２１）を当該スプール（１６）上に巻付けたり当該スプール（１６）から巻戻したりすることができることを特徴とするガラス取付装置。
【請求項６】
請求項５記載のガラス取付装置において、前記スプール（１６）が前記コーナピース（３）の外部に配置された操作つまみ（２６）と結合していることを特徴とするガラス取付装置。
【請求項７】
請求項５又は請求項６記載のガラス取付装置において、前記スプール（１６）及び前記コーナピース（３）に協働セレーション（２３、３２）が設けられていて、上記セレーションは、バネ手段（３１）の力に対抗してスプール（１６）をその長手方向にずらすことによって、互いにかみ合わない位置に移すことができることを特徴とするガラス取付装置。
【発明の詳細な説明】
【０００１】
本発明は、ガラス板の縁に沿ってに張られたフレーム部分を含むフレームによって囲まれたガラス板を含んでなり、而して個々のフレーム部分が２つの細長い異形材を含んでいてガラス板の各々の縁が２つ一組の異形材の間に配置されている、窓などの前面に装着するためのガラス取付装置に関する。
このような種類の公知ガラス取付装置においては、フレームは１つのユニットとして窓枠などに固定されていて、フレームはガラス板と共に着脱しなければならなず、そのため、ガラス取付装置の装着及び／又は取外しは困難で時間のかかる作業である。
【０００２】
本発明によれば、上記異形材の各々はガラス板に平行かつ互いに平行な１対の脚部を具備した実質的にＵ字形の横断面を有しており、而して一方の異形材の１つの脚部は他方の異形材の２つの脚部の間に位置していて、上記一方の異形材の２つの脚部の間に位置する上記他方の異形材の脚部の遠位端には肥厚部が設けられており、上記肥厚部の厚さはガラス板の厚さに対応していて当該ガラス取付装置の平常の使用状態ではガラス板の縁が上記一方の異形材の２つの脚部の間に位置しており、また異形材の長手方向に垂直かつガラス板に平行な方向に２つの異形材を相対的にシフトさせるための手段が設けられている。
【０００３】
本発明の構造を用いれば、建物の窓枠などにフレームを装着し、しかる後に、Ｕ字形異形材をフレームにガラス板を据えるための第１の相対位置に設定することができ、さらにその後で、Ｕ字形異形材をガラス板の縁が異形材の間に把持された状態の第２の相対位置にシフトすることができる。
このように、本発明の構造を用いれば、窓枠などの所望位置にフレームを装着することができ、しかる後にガラス板をフレームに取付ければよいガラス取付装置が得られるのである。また、保守や清掃などのために、かかるガラス板をフレームから簡単に取外すこともできる。
【０００４】
以下、添付の図面に概略を示した本発明のガラス取付装置の一実施形態について詳細に説明する。
図１は、本発明のガラス取付装置のフレームのコーナ部分の斜視図であって、異形材が上記の第１の相対位置にある状態を示している。
図２は、図１と同様な斜視図であるが、異形材が上記の第２の相対位置にある状態を示している。
【０００５】
図３は、図１の線分III 〜III に示す部分の拡大断面図であって、フレームが窓枠に固定されかつガラス板が所定の位置に配置された状態を示している。
図４は、図３と同様な断面図であるが、異形材が図２に示したような第２の相対位置にある状態を示している。
図５は、コーナピースとその中に収容された異形材の端部を示す部分切欠き斜視図である。
【０００６】
図６は、異形材を相対的にシフトさせるために使用される部品の分解斜視図である。
図７は、異形材を相対的にシフトさせるための手段を具備したコーナピースの断面図である。
図８は、互いに連結された異形材の断面図である。
【０００７】
図１及び図２に概略を示した通り、ガラス取付装置のフレームは複数のフレーム部分１を含んでなり、個々のフレーム部分１はガラス板２（図３及び図４）の縁に沿って張られる。フレームの端部において、これらのフレーム部分１はコーナピース３によって互いに連結されている。
個々のフレーム部分１は２つの細長い異形材４及び５を含んでなる。異形材４はＵ字形の横断面を有していて、一方の端の近くにおいてクロスピース８で連結された互いに平行な２つの脚部６及び７を含んでいる。脚部７の自由端には肥厚部９が設けられている。
【０００８】
異形材５もＵ字形の横断面を有しており、二重壁のクロスピース１２で連結された二重壁の脚部１０及び１１を含んでいる。
異形材５の脚部１０は、異形材５の脚部１１よりも短く、異形材４の脚部６及び７の間に位置する。また、異形材４の脚部７は異形材５の脚部１０及び１１の間に位置していて、脚部７の肥厚部９は異形材５の脚部１０及び１１の間にぴったりと嵌合している。よって、その配置は、異形材４及び５が矢印Ａで示す通りそれらの脚部に平行な方向に相対的にシフトし得るような構成になっている。従って、使用時にはそれぞれのフレーム部分１の異形材４を窓枠１３などに対して固定し、そして、異形材４に対して異形材５を図３に示す位置から図４に示す位置に（又はその逆に）シフトさせればよい。
【０００９】
異形材５が図３に示す位置にある場合には、図３に示した通り、異形材４の窓枠１３から遠い方の側に接するようにガラス板２を据えることができる。しかる後、異形材５を図４の位置にシフトすれば、ガラス板２の縁を異形材４及び５の脚部７及び１１の間に固定することができる。図３及図４から明らか通り、ガラス板２の厚さは肥厚部９の厚さと実質的に一致している。
【００１０】
図１、図２及び図５に示す通り、異形材４及び５の端部はコーナピース３の内部に収容されている。そして、異形材５の脚部１１はコーナピース３の外側Ｌ字形壁体部分１４とコーナピース３の内側Ｌ字形壁体部分１５との間に配置される。さらに、その配置は、コーナピース３の中に端部が挿入された２個の異形材５双方に対してコーナーピース３が異形材５の長手方向にシフトできるような構成になっている。
【００１１】
上記複数のコーナピースの中の１個にだけ、スプール１６（図６及び図７）が回転可能に支持されている。上記スプールの一端にはフランジ１７が設けられていて、使用時にはそれが窓枠１３に接触するようになっている。
上記フランジ１７の近傍には、中空のスプール１６の側壁に２箇所の切込み１８が設けられており、これら２箇所の切込み１８はスプール１６の長手方向に延びていてタング１９を画定している。かかるタング１９の端部２０は面取りされており、このタング１９はスプール１６にコード２１を固定するために使用される。なお、コード２１の使用については後で詳細に説明する。
【００１２】
スプール１６の端と端の中間にはカラー２２が設けられており、カラー２２のフランジ１７から遠い方の側にはセレーション２３が設けられている。また、カラー２２のフランジ１７に対向した側には、スプール１６の側壁に穴２４が設けられている。さらに、フランジ１７とは反対側のスプール１６の端部にはくぼみ２５が設けられている。操作つまみ２６に固定された２つのフィンガ２７によって、スプール１６と操作つまみ２６とが結合している。フィンガ２７の操作つまみ２６からみて遠位にある端部は、図７に示した通り、スプール１６の長さの一部にわたってスプール１６の内側を通って、フィンガ２７の遠位端に設けられたカム２８がカラー２２の後方の穴２４にはまり込む。
【００１３】
フィンガ２７は、同様に操作つまみ２６の一部を形成する２つの別のフィンガ２９の間に位置している。これら２つのフィンガ２９の自由端は段付き形状をなしていて、スプール１６の端部に接触すると共に、フィンガ２９の一部がくぼみ２５と嵌合する。さらに、図７に示す通り、スプール１６には、コーナピース３と接するワッシャー３０が取り付けられる。ワッシャー３０と操作つまみ２６の間には、操作つまみ２６の内部に収容されていてスプール１６とフィンガ２７及び２９とを取り囲むバネ３１が配置されている。
【００１４】
図７に示す位置においては、スプール１６のカラー２２に設けたセレーション２３がコーナピース３の壁体上に設けられたセレーション３２（図５）とかみ合っているので、スプール１６のその長軸の回りの回転は防止される。図７に示す位置においては、コーナピース３と相対する操作つまみ２６の端部３３はコーナピース３から一定の距離ａだけ離隔しているので、図７に示す操作つまみ２６をスプール１６と共に距離ａだけ左方にシフトしてセレーション２３とセレーション３２とのかみ合いを解除することができる。そうすれば、操作つまみ２６によってスプール１６をその長軸の回りに回転させることが可能となる。操作つまみ２６を放せば、バネ３１の作用によって操作つまみ２６及びスプール１６が図７に示す位置に戻る。
【００１５】
図３、図４及び図５に示す通り、コード２１が異形材５の内部及び複数のコーナピース３を通って張られており、コード２１はコーナピース３の互いに直交した壁体３５及び３６に設けられた穴３４及び３４’を通る。
操作つまみ２６によってスプール１６をその長軸の回りに回転させた場合、コード２１はスプール１６の周囲に巻付けられ、それによってコーナピースに端部の挿入された２個の異形材５に対してコーナーピースがシフトする。上記コーナーピース３によって、異形材５が図３に示す位置から図４に示す位置までシフトすることは明らかであろう。
【００１６】
また、操作つまみ２６によってスプール１６を反対方向に回転させた場合には、コード２１はスプール１６から巻き戻され、個々のコーナピース３内部に収容された２つの異形材５の各端部とコーナピース３の壁体部分３５及び３６との間に配置されたバネ３７の作用によって、コーナピース３は異形材５に対してコード２１をスプール１６の回りに巻付けたときと反対の方向にシフトする。このようなコーナピース３の移動により、異形材５は図４に示す位置から図３に示す位置にシフトする。
【００１７】
以上の説明から明らかな通り、本発明の構造を用いれば、異形材をもつフレームを有するガラス取付装置が得られるが、このフレームは窓枠１３に簡単に装着することができ、ガラス板２の取付けはフレームの装着後に行えばよい。また、清掃や保守などのため必要であれば、異形材４に対して異形材５をシフトさせることによってガラス板２をフレームから簡単に取外すこともできる。
【００１８】
好ましくは、上記異形材は、例えばプラスチック又はアルミニウムなどを押出したものである。図８に示す通り、２つの異形材４及び５を一体として押出すこともできる。この場合、押出後に線３８に沿って２つの異形材に分離すればよい。
【図面の簡単な説明】
【図１】本発明のガラス取付装置のフレームのコーナ部分の斜視図であって、２つの異形材が第１の相対位置にある状態を示している。
【図２】図１と同様な斜視図であるが、２つの異形材が第２の相対位置にある状態を示している。
【図３】図１中の線III 〜III に示す部分の拡大断面図であって、フレームが窓枠に固定されかつガラス板が所定の位置に配置された状態を示している。
【図４】図３と同様な断面図であるが、２つの異形材が図２に示したような第２の相対位置にある状態を示している。
【図５】コーナピース及びその内部に収容された異形材の端部を示す部分切欠き斜視図である。
【図６】異形材を相対的にシフトさせるために使用される部品の分解斜視図である。
【図７】２つの異形材を相対的にシフトさせるための手段を具備したコーナピースの断面図である。
【図８】互いに連結された２つの異形材の断面図である。
【符号の説明】
１  フレーム部分
２  ガラス板
３  コーナピース
４  異形材
５  異形材
６  脚部
７  脚部
９  肥厚部
１０  脚部
１１  脚部
１６  スプール
２１  コード
２３  セレーション
２６  操作つまみ
３１  バネ
３２  セレーション
３７  バネ
【図１】
0003844262.tif 000002
【図２】
0003844262.tif 000003
【図３】
0003844262.tif 000004
【図４】
0003844262.tif 000005
【図５】
0003844262.tif 000006
【図６】
0003844262.tif 000007
【図７】
0003844262.tif 000008
【図８】
0003844262.tif 000009